【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
被検体内に導入されて該被検体内を撮像するカプセル型内視鏡を用いた検査により取得された画像群を表示する画像表示装置であって、
前記検査により取得された前記画像群を表示する表示部と、
同一の被検体に対する複数回の検査から、検査結果を表示する第１の検査と、該第１の検査と検査結果を対比する第２の検査とを決定する検査決定部と、
前記第１及び第２の検査の検査結果を対比する際の指標を設定する指標設定部と、
前記指標に基づいて、前記第１の検査により取得された第１の画像群内の画像と、前記第２の検査により取得された第２の画像群内の画像とを対応付ける対応画像設定部と、
前記指標と、前記対応画像設定部により対応付けられた前記第１及び第２の画像群内の画像に関する情報とをもとに、前記第１の検査の結果の概要を表す第１の概要情報と、前記第２の検査の結果の概要を表す第２の概要情報とを作成する概要情報作成部と、
前記第１及び第２の概要情報を並べて前記表示部に表示させる表示制御部と、
を備えることを特徴とする画像表示装置。
【請求項２】
前記第１及び第２の概要情報は、それぞれ、前記第１及び第２の画像群内の各画像の平均色を時系列順又は画像の並び順に配列した第１及び第２の平均色バーであることを特徴とする請求項１に記載の画像表示装置。
【請求項３】
前記指標は、前記第１及び第２の検査における任意のタイミングから前記第１及び第２の画像群内の各画像が撮像されるまでの経過時間、又は、前記第１及び第２の画像群内の任意の基準の画像から前記第１及び第２の画像群内における画像の並び順に沿ってカウントした画像の枚数であり、
前記対応画像設定部は、前記第１及び第２の画像群の間で共通の特徴を有する画像同士を対応付け、
前記概要情報作成部は、スケールが共通の前記第１及び第２の平均色バーを作成し、
前記表示制御部は、前記対応付けられた画像に対応する前記第１及び第２の平均色バー上の位置を揃えて、前記第１及び第２の平均色バーを配置することを特徴とする請求項２に記載の画像表示装置。
【請求項４】
前記対応画像設定部は、前記第１及び第２の画像群からそれぞれ抽出される先頭画像同士、末尾画像同士、共通の臓器の境界が写った画像同士、又は、解剖学的に特徴のある画像同士を対応付けることを特徴とする請求項３に記載の画像表示装置。
【請求項５】
前記指標は、前記第１及び第２の画像群からそれぞれ抽出される特徴を有する画像であり、
前記対応画像設定部は、前記第１及び第２の画像群の間で、共通の特徴を有する複数組の画像同士を対応付け、
前記概要情報作成部は、前記対応画像設定部により対応付けられた複数組の画像に対応する前記第１及び第２の平均色バー上の位置によって区切られる区間の長さが、前記第１及び第２の平均色バーの間で等しくなるように、前記第１及び第２の平均色バーのいずれか一方のスケールを前記区間ごとに伸縮させることを特徴とする請求項２に記載の画像表示装置。
【請求項６】
前記対応画像設定部は、前記第１及び第２の画像群からそれぞれ抽出される先頭画像同士、末尾画像同士、共通の臓器の境界が写った画像同士、解剖学的に特徴のある画像同士、同種の病変が検出された画像同士、処置痕若しくは手術切除痕が写った画像、点墨が写った画像、並びにｐＨの変化点における画像の少なくとも２組の画像同士を対応付けることを特徴とする請求項５に記載の画像表示装置。
【請求項７】
前記表示制御部は、前記第１の平均色バーに対し、前記指標が異なる複数種類の前記第２の平均色バーを並べて前記表示部に表示させることを特徴とする請求項２〜５のいずれか１項に記載の画像表示装置。
【請求項８】
前記表示制御部は、前記表示部に対し、臓器の境界が写った画像、病変が検出された画像、処置痕若しくは手術切除痕が写った画像、点墨が写った画像、及びｐＨの変化点における画像の少なくともいずれかに対応する前記第１及び第２の平均色バー上の位置に、マークを表示させることを特徴とする請求項２〜７のいずれか１項に記載の画像表示装置。
【請求項９】
外部からの操作を入力する入力部をさらに備え、
前記表示制御部は、前記操作に基づき、前記表示部における前記マークの表示状態と非表示状態とを切り替えることを特徴とする請求項８に記載の画像表示装置。
【請求項１０】
外部からの操作を入力する入力部と、
前記第２の平均色バー上の領域を選択する操作が前記入力部から入力された場合に、該領域の前記第２の平均色バー上での配置に基づいて前記第１の平均色バー上の領域を決定すると共に、該決定された前記第１の平均色バー上の領域に対応する前記第１の画像群内の少なくとも１つの画像と、選択された前記第２の平均色バー上の領域に対応する前記第２の画像群内の少なくとも１つの画像とを抽出する対応画像抽出部と、
前記対応画像抽出部により抽出された前記第１の画像群内の画像と、前記第２の画像群内の画像とを対比する画面を作成する対比画面作成部と、
をさらに備えることを特徴とする請求項２〜７のいずれか１項に記載の画像表示装置。
【請求項１１】
前記対応画像抽出部は、前記第１又は第２の画像群から複数の画像を抽出した場合、該複数の画像間における類似度に基づいて、１つ以上の代表画像を選出し、
前記対比画面作成部は、前記１つ以上の代表画像を前記画面に配置することを特徴とする請求項１０に記載の画像表示装置。
【請求項１２】
外部からの操作を入力する入力部をさらに備え、
前記表示制御部は、前記操作に基づき、前記表示部における前記第２の平均色バーの表示状態と非表示状態とを切り替えることを特徴とする請求項２〜７のいずれか１項に記載の画像表示装置。
【請求項１３】
被検体内に導入されて該被検体内を撮像するカプセル型内視鏡を用いた検査により取得された画像群を表示する画像表示装置が実行する画像表示方法であって、
同一の被検体に対する複数回の検査から、検査結果を表示する第１の検査と、該第１の検査と検査結果を対比する第２の検査とを決定する検査決定ステップと、
前記第１及び第２の検査の検査結果を対比する際の指標を設定する指標設定ステップと、
前記指標に基づいて、前記第１の検査により取得された第１の画像群内の画像と、前記第２の検査により取得された第２の画像群内の画像とを対応付ける対応画像設定ステップと、
前記指標と、前記対応画像設定ステップにおいて対応付けられた前記第１及び第２の画像群内の画像に関する情報とをもとに、前記第１の検査の結果の概要を表す第１の概要情報と、前記第２の検査の結果の概要を表す第２の概要情報とを作成する概要情報作成ステップと、
前記第１及び第２の概要情報を並べて表示部に表示させる表示制御ステップと、
を含むことを特徴とする画像表示方法。
【請求項１４】
被検体内に導入されて該被検体内を撮像するカプセル型内視鏡を用いた検査により取得された画像群を表示する画像表示装置に実行させる画像表示プログラムであって、
同一の被検体に対する複数回の検査から、検査結果を表示する第１の検査と、該第１の検査と検査結果を対比する第２の検査とを決定する検査決定ステップと、
前記第１及び第２の検査の検査結果を対比する際の指標を設定する指標設定ステップと、
前記指標に基づいて、前記第１の検査により取得された第１の画像群内の画像と、前記第２の検査により取得された第２の画像群内の画像とを対応付ける対応画像設定ステップと、
前記指標と、前記対応画像設定ステップにおいて対応付けられた前記第１及び第２の画像群内の画像に関する情報とをもとに、前記第１の検査の結果の概要を表す第１の概要情報と、前記第２の検査の結果の概要を表す第２の概要情報とを作成する概要情報作成ステップと、
前記第１及び第２の概要情報を並べて表示部に表示させる表示制御ステップと、
を実行させることを特徴とする画像表示プログラム。